(57)【要約】【課題】本発明は、ドラム式洗濯機において洗浄力を向上させることを目的とする。【解決手段】回転ドラム６の内底部または外底部には、洗濯槽２に貯水された洗浄水を汲み上げ、その後、回転ドラム６内へ吐出する筒状の洗浄水流路９を少なくとも１つ設け、洗浄水流路９は、洗浄水流路９は、回転ドラム６の底部外周付近には回転ドラム６の回転により洗浄水を洗浄水流路９へと導く洗浄水流入部１０が形成され、回転ドラム６の底部中央付近には洗浄水流路９内の洗浄水を回転ドラム６内へ吐出する洗浄水流出部１１が形成されている。【選択図】図１
2012192064.tif 000002
【特許請求の範囲】
【請求項１】
洗濯槽と、前記洗濯槽に内包され有底円筒状の回転ドラムと、前記回転ドラムを回転駆動する駆動装置と、前記洗濯槽内への給水を制御する給水手段とを備え、前記回転ドラムは、前記回転ドラムの開口部を正面側とし底部を背面側として、回転軸方向が前記正面側から前記背面側に向けて水平または水平方向から下向き傾斜となるようにして前記洗濯槽内に配置され、前記回転ドラムの側壁面には、前記洗濯槽に通じる多数の小孔を形成すると共にその内側壁面に撹拌突起を設け、前記回転ドラムの内底部または外底部には、前記洗濯槽に貯水された洗浄水を汲み上げ、その後、前記回転ドラム内へ吐出する筒状の洗浄水流路を少なくとも１つ設け、前記洗浄水流路は、前記回転ドラムの底部外周付近には前記回転ドラムの回転により洗浄水を前記洗浄水流路へと導く洗浄水流入部が形成され、前記回転ドラムの底部中央付近には前記洗浄水流路内の洗浄水を前記回転ドラム内へ吐出する洗浄水流出部が形成されていることを特徴とするドラム式洗濯機。
【請求項２】
前記洗浄水流出部は、前記回転ドラムの内底部に前記回転ドラムの開口部と対向するように開口していることを特徴とする請求項１に記載のドラム式洗濯機。
【請求項３】
前記洗浄水流路は、前記洗浄水流入部から前記洗浄水流出部にかけて弦側が回転方向となるように弓なりの形状をとることを特徴とする請求項１または２に記載のドラム式洗濯機。
【請求項４】
前記洗浄水流路は、前記洗浄水流入部から前記洗浄水流出部にかけ、開口断面積が小さくなるように形成されていることを特徴とする請求項１〜３のいずれか１項に記載のドラム式洗濯機。
【請求項５】
前記洗浄水流路は、前記洗浄水流入部から前記洗浄水流出部にかけて弦側が回転ドラムの正回転方向となるように弓なりの形状をとるものと、弦側が回転ドラムの逆回転方向となるように弓なりの形状をとるものと、２種類であることを特徴とする請求項１〜４のいずれか１項に記載のドラム式洗濯機。
【請求項６】
前記洗浄水流入部は、前記回転ドラムの底部面上または外底部に設けられていることを特徴とする請求項１〜５のいずれか１項に記載のドラム式洗濯機。
【請求項７】
前記洗浄水流入部は、前記撹拌突起に形成されていることを特徴とする請求項１〜５のいずれか１項に記載のドラム式洗濯機。
【請求項８】
前記洗浄水流入部は、前記ドラムの周壁上に形成されていることを特徴とする請求項１〜５のいずれか１項に記載のドラム式洗濯機。
【発明の詳細な説明】
【技術分野】
【０００１】
本発明は、回転軸方向が正面側から背面側に向けて水平または水平方向から下向き傾斜した回転軸を有するドラム式洗濯機に関する。
【背景技術】
【０００２】
従来のドラム式洗濯機はよく知られているように、筐体内に配置された洗濯槽内に洗濯物を収容する回転ドラムが、回転自由となるように内包されている。
【０００３】
そして、回転ドラムの回転にともなって、洗濯物を持ち上げ、適当な高さから落下させることで叩き洗いを行うようにしている。
【０００４】
この叩き洗いにおいて、洗浄ムラなく洗濯するためには、洗濯物に万遍なく洗浄水を浸透させる必要がある。
【０００５】
このため従来では、例えば叩き洗い行程において、回転ドラムの底部の洗浄水を循環ポンプにより吸い上げ、回転ドラム前方から洗濯物に洗浄水を供給することにより、洗濯物に洗浄水を浸透させ、洗浄効果を高めるようにしている（例えば、特許文献１参照）。
【先行技術文献】
【特許文献】
【０００６】
【特許文献１】特開２００７−１４６７８号公報
【発明の概要】
【発明が解決しようとする課題】
【０００７】
このように従来のドラム式洗濯機では、循環ポンプにより、回転ドラムの正面側より給水する回転ドラムの前方に位置する洗濯物に洗浄水を供給するようにしているが、回転ドラム後方の洗濯物には洗浄水が届きにくいといった課題を有していた。
【０００８】
また、洗濯物の表面に洗浄水を供給してから洗濯物の中心部へ浸透するまで時間を要するため、特に洗濯物が多い場合には、回転ドラム後方に片寄った洗濯物の中央部まで洗浄水が浸透しにくく、洗浄ムラの原因となり洗濯効率が低下するといった課題も有していた。
【０００９】
特に、回転軸を傾斜させた斜めドラム式洗濯機においては、洗濯機の背面側、すなわち回転ドラムの底部背面に洗濯物が片寄りやすく、洗濯物の中心部まで洗浄水が浸透しにくいという課題が顕著であった。
【００１０】
本発明は、前記従来の課題を解決するもので、洗濯効率を高めたドラム式洗濯機を提供することを目的とする。
【課題を解決するための手段】
【００１１】
前記従来の課題を解決するために、本発明のドラム式洗濯機は、洗濯槽と、洗濯槽に内包された回転ドラムと、回転ドラムを回転駆動させる駆動装置と、洗濯槽内への給水を制御する給水手段とを備え、回転ドラムは、回転ドラムの開口部を正面側とし底部を背面側として、回転軸方向が正面側から背面側に向けて水平または水平方向から下向き傾斜となるようにして洗濯槽内に配置され、回転ドラムの側壁面には、洗濯槽に通じる多数の小孔を形成すると共にその内側壁面に撹拌突起を設け、回転ドラムの内底部または外底部には
、洗濯槽に貯水された洗浄水を汲み上げ、その後、回転ドラム内へ吐出する筒状の洗浄水流路を少なくとも１つ設け、洗浄水流路は、回転ドラムの底部外周付近には回転ドラムの回転により洗浄水を洗浄水流路へと導く洗浄水流入部が形成され、回転ドラムの底部中央付近には洗浄水流路内の洗浄水を回転ドラム内へ吐出する洗浄水流出部が形成されていることを特徴とするものである。
【００１２】
これによって、回転ドラムが回転することによって洗浄水流入部から洗濯槽内底部の洗浄水を汲み上げ、洗浄水流路を通して回転ドラム内の洗濯物に供給することができ、洗浄ムラを減少させ、洗浄力を向上させることができる。
【発明の効果】
【００１３】
本発明のドラム式洗濯機は、回転ドラムが回転することによって洗浄水流入部から洗濯槽内底部の洗浄水を汲み上げ、洗浄水流路を通して回転ドラム内の洗濯物に供給することができるものであるので、洗浄ムラを減少させ、洗浄力を向上させることができる。
【図面の簡単な説明】
【００１４】
【図１】本発明の実施の形態１におけるドラム洗濯機の正面断面図
【図２】同ドラム洗濯機の側面断面図
【図３】同ドラム式洗濯機の回転ドラム底部の斜視図
【図４】本発明の実施の形態２におけるドラム洗濯機の回転ドラム底部の斜視図
【図５】本発明の実施の形態３におけるドラム洗濯機の正面断面図
【図６】本発明の実施の形態４におけるドラム洗濯機の正面断面図
【図７】本発明の実施の形態５におけるドラム洗濯機の正面断面図
【図８】本発明の実施の形態６におけるドラム洗濯機の回転ドラムの側面断面図
【発明を実施するための形態】
【００１５】
第１の発明は、洗濯槽と、洗濯槽に内包され有底円筒状の回転ドラムと、回転ドラムを回転駆動する駆動装置と、洗濯槽内への給水を制御する給水手段とを備え、回転ドラムは開口部を正面側とし底部を背面側として、回転軸方向が正面側から背面側に向けて水平または水平方向から下向き傾斜となるようにして洗濯槽内に配置され、回転ドラムの側壁面には、前記洗濯槽に通じる多数の小孔を形成すると共にその内側壁面に撹拌突起を設け、回転ドラムの内底部または外底部には、洗濯槽に貯水された洗浄水を汲み上げ、後に前記回転ドラム内へ吐出する筒状の洗浄水流路を少なくとも１つ設け、洗浄水流路は、前記回転ドラムの底部外周付近には回転ドラムの回転により洗浄水を洗浄水流路へと導く洗浄水流入部が形成され、前記回転ドラムの底部中央付近には洗浄水流路内の洗浄水を前記回転ドラム内へ吐出する洗浄水流出部が形成されていることにより、回転ドラムの回転によって洗浄水流入部から洗濯槽内底部の洗浄水を汲み上げ、洗浄水流路を通して回転ドラム後方に片寄った洗濯物の中央部に循環させながら送り込むことで、洗濯物に洗浄水が十分に供給されていない所にも洗浄水を供給することができ、洗浄ムラを減少させ、洗浄力を向上させることができるものである。
【００１６】
第２の発明は、特に第１の発明において、洗浄水流出部は、回転ドラムの内底部に回転ドラムの開口部と対向するように開口していることにより、回転ドラムの底部から回転ドラム内の正面側の方向へ効果的に洗浄水流出部から洗浄水を噴出することができるものである。
【００１７】
第３の発明は、特に第１の発明において、洗浄水流路は、洗浄水流入部から洗浄水流出部にかけて弦側が回転方向となるように弓なりの形状をとることにより、洗浄水流路を洗浄水が通過する際に発生する抵抗を抑え、洗浄水流出部からのシャワーの勢いを維持できるとともに、汲み上げた洗浄水を噴出するまでの間、効率的に保持することができるもの
である。
【００１８】
第４の発明は、特に第１の発明において、洗浄水流入部から洗浄水流出部にかけ、洗浄水流路の開口断面積が小さくなるように形成されていることにより、シャワーの吐出圧を高め、これにより洗浄力をより高めることができるものである。
【００１９】
第５の発明は、特に第１の発明において、洗浄水流入部は回転ドラムの底部を構成する面の外側または面上に設けられており、回転時に洗浄水流入部が洗濯物を傷つけることなく洗濯できるものである。
【００２０】
第６の発明は、特に第１の発明において、洗浄水流路は、洗浄水流入部から洗浄水流出部にかけて弦側が回転ドラムの正回転方向となるように弓なりの形状をとるものと、弦側が回転ドラムの逆回転方向となるように弓なりの形状をとるものと、２種類であることにより、洗浄水流出部からのシャワー吐出時間が長くなり、洗浄力をより高めることができる。
【００２１】
第７の発明は、特に第１の発明において、洗浄水流入部は撹拌突起に形成されていることにより、洗浄水流入部を広くとることができるため、シャワーの流量が増加し、洗浄力をより高めることができるものである。
【００２２】
第８の発明は、特に第１の発明において、洗浄水流入部はドラムの周壁上に形成されていることにより水位が低い状態でも安定して洗浄水を洗浄水流路に導くことができるとともに、洗浄水流入部が選択物に塞がれてしまうことを防止できるものである。
【００２３】
以下、本発明の実施の形態について、図面を参照しながら説明する。なお、本実施の形態によって本発明が限定されるものではない。
【００２４】
（実施の形態１）
図１は、本発明の実施の形態１におけるドラム式洗濯機の正面断面図であり、図２は、同ドラム洗濯機の側面断面図である。
【００２５】
図１において、洗濯機本体１内には吊り下げばね３により洗濯槽２が上部より吊り下げられ、洗濯槽２は洗濯機本体１の底部を構成する洗濯機底板４にダンパー５を介して下から支えられている。
【００２６】
洗濯槽２内には、回転ドラム６が開口部を正面側とし、底部を背面側とし、回転軸方向が正面側から背面側に向けて水平または水平方向から下向き傾斜となるように回転自在に軸支されている。また、回転ドラム６の側壁面には洗濯槽２に通じる多数の小孔７が形成され、内壁面には撹拌突起８が設けられている。
【００２７】
回転ドラム６の底部を形成する面の内側（以下、内底部という）または外側（以下、外底部という）には、回転により洗濯槽２および回転ドラム６内に貯水された洗浄水を汲み上げた後、回転ドラム６内へ吐出する洗浄水流路９が少なくとも１つ設けられている。
【００２８】
さらに、洗浄水流路９は前記回転ドラム６の底部外周付近から底部中央付近に向けて筒状に形成されており、洗浄水流路９には回転ドラム６の外周付近に洗浄水流入部１０が、回転ドラム６の底部中央付近に洗浄水流出部１１が形成されている。
【００２９】
洗濯機本体１の前面には、洗濯物１２を出し入れするための扉１３が設けられている。また、洗濯機本体１の上部には、洗濯槽２内に洗濯水を給水するための給水手段１４が設
けられ、この給水手段１４は洗剤を投入する洗剤ケース１５を通過して洗濯槽２に接続されている。洗濯槽２には、内部の洗浄水の水位を検知するための水位センサ１６が接続されている。
【００３０】
回転ドラム６を回転駆動するために、洗濯槽２外周の下部にはモータ（駆動装置）２１が固定され、ベルト１７、プーリ１８を介して回転ドラム６を回転させる構成となっている。回転ドラム６が回転することで、回転ドラム６の内壁に設けられた撹拌突起８により、洗濯物１２が持ち上げられ、回転ドラム６の上方から洗濯物１２を落下させ、洗濯物１２を回転ドラム６の側壁に叩きつける叩き洗いによって洗濯が行われる。
【００３１】
洗い、すすぎ、脱水行程が終わった後の洗浄水等の排水を外部に排出するための排水手段１９が設けられ、排水手段１９の吸込み側は、洗濯槽２底部と連結し、一方、排出側は、洗浄水を洗濯機本体１の外へ排出する排水ホース２０と連結している。
【００３２】
上記構成において基本的な動作説明をする。
【００３３】
使用者は扉１３を開いて回転ドラム６内に洗濯物１２を投入し、電源スイッチ（図示せず）をオンし、スタートスイッチ（図示せず）を操作して運転を開始させる。すると、給水手段１４が動作して給水が開始され、洗剤ケース１５内に投入された洗剤とともに洗濯槽２内に洗濯液が給水される。水位センサ１６により所定の水位を検知すると、給水を停止し、モータ２１が駆動され、洗い行程が開始される。そして、排水手段１９によって排水、給水手段１４によって給水、モータ２１によって回転ドラム６が回転することで、所定の時間、洗い、すすぎ、脱水行程が順に行われ、全行程を経た後、洗濯が終了する。
【００３４】
図３（ａ）は、実施の形態１における回転ドラム６の内底部である。
【００３５】
図３（ａ）において、回転ドラム６の内底部に洗浄水流路９を設け、洗浄水流路９の底部中央付近に洗浄水流出部１１を、外周付近に洗浄水流入部１０を設けている。
【００３６】
この洗い、すすぎ行程において、回転ドラム６が図１において回転ドラム６を正面からみて右回転（以降、正回転）をするとき、洗濯槽２および回転ドラム６内の底部に溜まった洗浄水を、洗浄水流入部１０によって汲み上げ、汲み上げられた洗浄水が洗浄水流入部１０から洗浄水流路９へと流入する。さらに回転ドラム６が回転することによって、洗浄水流入部１０から洗浄水流路９へと流入した洗浄水が、洗浄水流出部１１が洗浄水流入部１０よりも低い位置に来たときに、洗浄水流路９を通って洗浄水流出部１１より吐出される。図３（ａ）の矢印は洗浄水の経路を示している。
【００３７】
洗浄水流出部１１は回転ドラム６の内底部の中心付近に設けられているため、洗浄水流出部１１より吐出された洗浄水は、回転ドラム６内の底部に集中した洗濯物１２の中央部に供給することができる。また、このとき回転ドラム６の回転数は３０〜７０ｒ／ｍｉｎであるとよい。
【００３８】
洗浄水流入部１０は回転ドラム６の回転方向に向かって開口する形状とするとよい。これにより回転ドラム６の回転によって効率よく洗浄水を汲み取ることができる。
【００３９】
特に、洗浄水流入部１０を内底部側に開口させる場合には、図３（ｂ）に示すように、洗浄水流入部１０を多数の小孔で形成したり、図３（ｃ）に示すように、洗浄水流入部１０を多数のスリットで形成したりしてもよい。これにより、洗浄水流入部１０が洗濯の際に洗濯物１２を巻き込んだり、吸い込んだりすることを防ぐことができる。
【００４０】
また、洗浄水流出部１１は回転ドラム６の内底部に回転ドラム６の開口部と対向するように開口している構成とするとよい。これにより、回転ドラム６の内底部から回転ドラム６内の正面側の方向へ効果的に洗浄水流出部１１から洗浄水を噴出することができ、洗濯物１２の中央部へ洗浄水を到達させることができる。
【００４１】
この構成により、洗濯槽２内下方に溜まっている洗浄水を循環させて洗濯物１２に供給することで、洗濯物１２へ洗浄水をすばやく作用させて洗浄することが出来る。また、洗濯物１２が集中しやすい回転ドラム６の底部背面付近に洗浄水を供給することができ、特に洗浄水が浸透しにくい洗濯物１２の中央付近に洗浄水を供給できるので、洗浄ムラを減少させ洗浄力を向上させることができる。
【００４２】
また、例えば撹拌突起が洗浄水のシャワーの機構を兼ねさせた機構や、循環ポンプ等で正面側から洗浄水のシャワーを噴出する機構などによって、洗濯物１２に洗浄水を供給する場合、洗濯物１２の表面付近が濡れ、徐々に中心付近へ浸透していくまで時間を要するが、本実施形態によれば、直接、洗濯物１２の中央付近へ洗浄水を供給することができるので、より素早く洗濯物１２全体へ浸透させ洗浄効果を高めることができる。
【００４３】
さらに、洗濯物１２の量が多い場合においても、洗浄水が浸透しにくい洗濯物１２の中央付近へ洗浄水を供給することができるので、洗浄ムラを減少させ洗浄力を向上させることができる。
【００４４】
また、本実施の形態は、洗浄水流入部１０によって洗浄水を汲み上げ、汲み上げられた洗浄水が洗浄水流入部１０から洗浄水流路９へと循環するようにしたので、この部分において循環ポンプなどを必要としない簡単な構成によって回転ドラム６の底部に溜まった洗浄水を循環させ、回転ドラム６内の洗濯物１２へ洗浄水を供給することができる。これによって、製造コストを低く抑えながら洗浄力を向上させることができる。
【００４５】
また、洗浄水流路９は洗浄水流入部１０から洗浄水流出部１１にかけて弦側が回転方向となるように弓なりの形状とするとよい。これにより、洗浄水流路９を洗浄水が通過する際に発生する抵抗を抑え、洗浄水流出部１１からのシャワーの勢いを維持できるとともに、洗浄水流入部１０によって汲み上げた洗浄水を、洗浄水流出部１１から噴出するまでの間、効率的に保持することができる。なお、洗浄水流路９は洗浄水を洗浄水流入部１０から洗浄水流出部１１まで保持できる形状であればよく、筒状の一部に複数の小孔などを設けてもよい。
【００４６】
また、洗浄水流入部１０から洗浄水流出部１１にかけ、洗浄水流路９の開口断面積が小さくなるように形成するとよい。洗浄水流入部１０を広くすることで十分な量の洗浄水を汲み取り、洗浄水流出部１１を狭くすることでシャワーの吐出圧が高まるので、洗濯物１２のより中心付近へ洗浄水を浸透させることができる。このとき、洗浄水流出部１１の断面形状は、略楕円や略長方形とすることでシャワーが扇状に広がり、洗濯物１２の中心付近へ洗浄水を広く散布することができるが、円形やその他の非円形でもよい。
【００４７】
なお、以上の構成によって、例えば撹拌突起が洗浄水のシャワーの機構を兼ねさせた機構や、循環ポンプ等で正面側から洗浄水のシャワーを噴出する機構などの、洗浄水を循環させ回転ドラム６に供給するための他の手段と併用してもよい。これらを併用することで、より洗濯物全体に素早く洗浄水を浸透させることができる。
【００４８】
（実施の形態２）
実施の形態２について説明する。実施の形態１と同一の動作、構成については、説明を簡略化する。
【００４９】
図４は、本発明の実施の形態２におけるドラム洗濯機の回転ドラム６の内底部および外底部である。図４（ａ）および（ｃ）は内底部を、図４（ｂ）および（ｄ）は外底部を示している。
【００５０】
図４（ａ）において、洗浄水流路９は回転ドラム６の外底部に設けられ、洗浄水流入部１０および洗浄水流出部１１は、回転ドラム６の底部面上に設けられている。また、図４（ｃ）において、洗浄水流路９は回転ドラム６の外底部に設けられ、洗浄水流出部１１は回転ドラム６の底部面上に設けられ、洗浄水流入部１０は回転ドラム６の外底部に回転方向に開口するように形成されている。
【００５１】
本実施の形態では、洗浄水流路９、洗浄水流入部１０および洗浄水流出部１１が、回転ドラム６の外底部または底部面上に設けられており、回転時に洗浄水流入部１０によって洗濯物１２を傷つけることなく洗浄水を汲み取ることができる。また、図４（ｂ）および（ｄ）に示されるように洗浄水流入部１０を回転ドラム６の外底部に設けることで、洗浄水流入部１０が洗濯物１２によって塞がれずに洗浄水を汲み取ることができる。
【００５２】
特に、洗浄水流入部１０を回転ドラム６の底部面上に設ける場合には、図３（ｂ）に示すように、洗浄水流入部１０を多数の小孔で形成したり、図３（ｃ）に示すように、洗浄水流入部１０を多数のスリットで形成したりしてもよい。これにより、洗浄水流入部１０が洗濯の際に洗濯物１２を巻き込んだり、吸い込んだりすることを防ぐことができる。
【００５３】
（実施の形態３）
図５は、本発明の実施の形態３におけるドラム洗濯機の正面断面図である。
【００５４】
図５において、洗浄水流路９は、洗浄水流入部１０から洗浄水流出部１１にかけて弦側が正回転方向である弓なり形状と、弦側が逆回転方向である弓なり形状との２種類である。その他の構成は実施の形態１と同じであり、同一符号を付して説明を簡略化する。
【００５５】
上記構成において動作を説明する。なお、実施の形態１と同一の動作については、説明を簡略化する。洗いおよびすすぎ工程においては、洗濯物を偏りなく動かし、洗濯物全体に洗浄水を浸透させるため、回転ドラム６を正逆両方向にそれぞれ回転させるのが一般的である。本実施形態においては、回転ドラム６が正回転する際には正回転方向へ開口した洗浄水流入部１０が洗浄水を汲み上げ、洗浄水流路９を通って洗浄水流出部１１からシャワーが吐出され、逆回転時は逆回転方向へ開口した洗浄水流入部１０が洗浄水を汲み上げ、洗浄水流路９を通って洗浄水流出部１１からシャワーが吐出される。
【００５６】
以上のように、本実施の形態によれば、回転ドラム６の正逆どちらの回転方向においても、回転ドラム６の底部からのシャワーを吐出することができる。これにより、シャワーの吐出時間が長くなり、洗濯物１２へ洗浄水をより浸透させ、洗浄力をより高めることができる。
【００５７】
また本実施の形態においては、正または逆回転にそれぞれ対応する洗浄水流路９、洗浄水流入部１０、洗浄水流出部１１のうち少なくとも１つを一体化したものであってもよい。
【００５８】
（実施の形態４）
図６は、本発明の実施の形態４におけるドラム洗濯機の正面断面図である。
【００５９】
図６において、洗浄水流路９は中空状の撹拌突起８と連通し、洗浄水流入部１０は撹拌
突起８上に、回転ドラム６を正回転方向へ向けて形成している。他の構成は実施の形態１と同じであり、同一符号を付して説明を簡略化する。
【００６０】
上記構成において動作を説明する。なお、実施の形態１と同一の動作については、説明を簡略化する。図６において回転ドラム６が正回転すると、撹拌突起８が回転ドラム６の下方に溜まった洗浄水を通過する際に、洗浄水が洗浄水流入部１０から撹拌突起８内へ流入する。撹拌突起８内へ流入した洗浄水は、回転ドラム６の回転とともに洗浄水流路９内へと流れ込み、洗浄水流出部１１から吐出される。
【００６１】
以上のように、本実施の形態によれば、洗浄水流入部１０を撹拌突起８に設けることで、回転ドラム６の正面側から背面側に渡って広くとることができるため、洗浄水流路９への洗浄水の流入量が増加し、シャワー流量および吐出圧が高まり、洗浄力をより高めることができる。
【００６２】
なお本実施の形態において、１つの撹拌突起８に両回転方向をそれぞれ弦とした弓なり形状の洗浄水流路９を２つ連通させることで両回転に対応させてもよく、またそれぞれの回転方向に対応する洗浄水流路９をそれぞれ撹拌突起８に連通させてもよい。
【００６３】
また、本実施の形態においては、洗浄水流路９は回転ドラム６の内底部または外底部のどちらに形成してもよい。
【００６４】
（実施の形態５）
図７は、本発明の実施の形態５におけるドラム洗濯機の正面断面図である。
【００６５】
図７において、洗浄水流入部１０は、回転ドラム６の内底部近傍に形成したものである。他の構成は実施の形態１と同じであり、同一符号を付して説明を簡略化する。
【００６６】
つまり、回転ドラム６が回転し、回転ドラム６周壁上に形成した洗浄水流入部１０が、洗濯槽２の底部に溜まった洗浄水に浸かると、洗浄水がこの洗浄水流入部１０から洗浄水流路９内へと流入する。さらに回転ドラム６が回転すると、洗浄水流路９内の洗浄水は洗浄水流出部１１から吐出されるようになる。
【００６７】
以上のように、本実施の形態においては、回転ドラム６の内壁面から洗浄水が洗浄水流入部１０へ流入するため、水位が低い状態でも安定して洗浄水を洗浄水流路９に導くことができるとともに、洗浄水流入部１０が洗濯物１２によって塞がれてしまうことがない。
【００６８】
なお、洗浄水流入部１０および洗浄水流路９は、回転ドラム６の内壁面または外壁面のどちらに形成してもよい。また、洗浄水流入部１０は回転ドラム６の内壁面に形成されている小孔７と共通させてもよい。
【００６９】
（実施の形態６）
図８は、本発明の実施の形態６におけるドラム洗濯機の回転ドラムの側面断面図である。
【００７０】
図８において、洗浄水流入部１０は、回転ドラム６の内底部から前方部分にまで、形成したものである。
【００７１】
つまり、回転ドラム６内の内底部から前方部分にかけてカバー形状の洗浄水流入部１０を設け、この洗浄水流入部１０に複数の開口部を形成したものである。
【００７２】
このようにすると、回転ドラム６が回転することで、回転ドラム６周壁に形成した洗浄水流入部１０が、回転ドラム６内に溜まった洗浄水に浸かると、洗浄水がこの洗浄水流入部１０から洗浄水流路９内へと流入する。さらに回転ドラム６が回転すると、洗浄水流路９内の洗浄水は洗浄水流出部１１から吐出されるようになる。
【００７３】
つまり、この実施の形態６では、洗浄水流入部１０を広くするために、回転ドラム６内の内底部から前方部分にかけてカバー形状の洗浄水流入部１０を設けたものである。
【００７４】
もちろん、このカバー形状の洗浄水流入部１０は、回転ドラム６外の内底部から前方部分にかけて設けてもよい。なお、洗浄水流入部１０および洗浄水流路９は、回転ドラム６の内壁面または外壁面のどちらに形成してもよい。
【産業上の利用可能性】
【００７５】
以上のように、本発明にかかる洗濯機は、簡単な構成で、ドラム後方より循環シャワーを吐出することができ、洗いムラを抑えるとともに、洗浄力を向上させることが可能である。
【符号の説明】
【００７６】
１  洗濯機本体
２  洗濯槽
３  吊り下げばね
４  洗濯機底板
５  ダンパー
６  回転ドラム
７  小孔
８  撹拌突起
９  洗浄水流路
１０  洗浄水流入部
１１  洗浄水流出部
１２  洗濯物
１３  扉
１４  給水手段
１５  洗剤ケース
１６  水位センサ
１７  ベルト
１８  プーリ
１９  排水手段
２０  排水ホース
【図１】
2012192064.tif 000003
【図５】
2012192064.tif 000004
【図６】
2012192064.tif 000005
【図７】
2012192064.tif 000006
【図２】
2012192064.tif 000007
【図３】
2012192064.tif 000008
【図４】
2012192064.tif 000009
【図８】
2012192064.tif 000010